(57)【要約】【課題】受信性能が一時的に悪化する様な環境下にあって、圏外状態から待ち受け状態への時間を短くできるようにした携帯無線電話装置を提供する。【解決手段】折り畳み型携帯電話機１０は、基地局の圏内にあるときには無線による接続により音声情報等の伝送を行うことが可能である他、圏外にあるときには基地局からの制御チャネルが受信可能でありながら待ち受けゾーン選択レベルを満たさない弱電界が判定されたことをもって所定の時間周期で基地局の検索を行う基地局検索機能を制御部４に備えている。更に、制御部４は、圏外にあることが検出され、かつ、上側本体と下側本体の折り畳み状態を検出したとき、圏外検出直後の基地局検索周期を短くし、この基地局検索周期（Ｔ２）により一定時間の基地局検索を実施する。【選択図】　　　　図１
2004015727.tif 000002
【特許請求の範囲】
【請求項１】
基地局の圏内に存在するときには無線接続により通信が可能であると共に、圏外に存在するときには前記基地局からの制御チャネルが受信可能でありながら待ち受けゾーン選択レベルを満たさない弱電界が判定されたことをもって所定の時間周期で前記無線基地局の検索を行う基地局検索機能を備えた携帯無線電話装置において、
前記圏外に存在することが検出されたときに本体部の使用形態を検出し、その検出結果に応じて圏外検出直後の基地局検索周期を変更する制御手段を備えることを特徴とする携帯無線電話装置。
【請求項２】
前記制御手段は、前記本体部が上側本体と下側本体を備えた折り畳み型であるとき、前記上側本体と前記下側本体が折り畳み状態にあることをもって前記使用形態を検出し、通常の圏外動作時よりも前記基地局検索周期を短くすることを特徴とする請求項１記載の携帯無線電話装置。
【請求項３】
前記制御手段は、前記本体部が収納部本体とスライド部を備えたスライド型であるとき、前記スライド部が前記収納部本体に収納状態にあることをもって前記使用形態を検出し、通常の圏外動作時よりも前記基地局検索周期を短くすることを特徴とする請求項１記載の携帯無線電話装置。
【請求項４】
前記制御手段は、前記基地局検索を実施後、受信電界値が待ち受け電界しきい値より大きいときに圏内を判定し、待ち受け動作に移行することを特徴とする請求項１記載の携帯無線電話装置。
【請求項５】
前記制御手段は、前記基地局検索を実施後、待ち受け電界しきい値が受信電界値より大きくかつ前記基地局検索周期のタイムアウトのとき、前記基地局検索周期の値を前記通常の圏外動作時の値に戻すことを特徴とする請求項１記載の携帯無線電話装置。
【発明の詳細な説明】
【０００１】
【発明の属する技術分野】
本発明は、携帯無線電話装置に関し、特に、携帯無線電話装置が折り畳み状態等の特定の条件下にあるとき、圏外にあり更に受信電界値が待ち受け電界しきい値以下にあることをもって基地局の検索周期を長くし、圏外状態における電池の消費電力を低減できるようにした携帯無線電話装置に関する。
【０００２】
【従来の技術】
携帯電話機、ＰＨＳ（Ｐｅｒｓｏｎａｌ　Ｈａｎｄｙｐｈｏｎｅ　Ｓｙｓｔｅｍ）電話機等の携帯無線電話装置においては、例えば、電源オン時に基地局から送られてくる制御チャネルをモニタし、位置登録シーケンスが実行される。例えば、ＰＤＣ（Ｐｅｒｓｏｎａｌ　ＤｉｇｉｔａｌＣｅｌｌｕｌｅｒ　）方式では、捕捉された制御チャネルを通じて通知される位置情報（ゾーン番号）とホームメモリ局（交換・制御局）に記憶されている直前の位置情報と比較し、この位置情報が異なるとき、そのサービスエリア（ゾーン番号）に対する位置登録が行われる。この位置登録後は、発呼（発信）又は着呼（着信）に対する処理が行われる。
【０００３】
例えば、発呼時においては、携帯無線電話装置がオフフック後に基地局と接続すると、接続した基地局から交換・制御局に信号が伝送され、この交換・制御局でデータベース（加入者ファイル）などが調べられ、ＴＤＭＡ（Ｔｉｍｅ　Ｄｉｖｉｓｉｏｎ　Ｍｕｌｔｉｐｌｅ　Ａｃｃｅｓｓ　：時分割多元接続）における一定時間周期のフレームを複数の時間間隔（タイムスロット）で分割した通信チャネルの割り当てを行い、この後に通話が行われる。また、着呼時においては、発信側の携帯無線電話装置がオフフックされた後の選択信号（電話番号）の送信に基づいて、交換・制御局は加入者ファイルから呼び出し先（接続先）の携帯無線電話装置を調べ、複数の基地局から一斉呼び出しが行われる。携帯無線電話装置は、受信した呼び出し信号を識別し、応答信号を送信する。交換・制御局では無線回線接続する基地局を決定し、更に、通話チャネルの割り当てを行うことにより、通話が成立する。
【０００４】
ところで、携帯無線電話装置においては、電源に電池を用いているため、１回の電池装填における待ち受けや通話などの使用可能時間をできるだけ長くすることが望まれている。従来、携帯無線電話装置が基地局の圏外を検出したとき、基地局からの制御チャネルを受信できても待ち受けゾーン選択レベルを満たさない弱電界を判定したとき、短い時間周期で基地局の検索を行い、圏内に入ったことを迅速に検出できるようにしている。しかし、この検索処理によって、基地局をアクセスする回数が増えるため、圏内時の待ち受け時に比べて圏外時の消費電流が増大する。
【０００５】
この問題を解決するものとして、例えば、特開平１１−３３１９１６号公報及び特開２００−６８９２０号公報がある。特開平１１−３３１９１６号公報の発明では、基地局からの待ち受けゾーン選択レベルが低いときでも、その受信電界値が或る値以上であれば、基地局の近くであると見なして検索間隔を長くし、圏外における基地局検索の時間周期を長くし、圏外時の基地局検索に伴う消費電流を低減している。更に、特開２００−６８９２０号公報の発明では、制御チャネルを受信できない第２の圏外エリアへの移動であることを識別したとき、制御チャネルの受信が可能であれば、第１の圏外エリアのときよりも制御チャネルのモニタ周期が大きくなるように制御する。
【０００６】
【発明が解決しようとする課題】
しかし、従来の基地局検索方法によると、通常、携帯無線電話装置はその待ち受け電界しきい値ＳＷＥが基地局との通信を確実に行える程度に高いレベルに設定されているため、ストレート型の携帯無線電話装置で問題が生じなくとも、折り畳み型等の携帯無線電話装置では問題を生じる場合がある。例えば、折り畳み型携帯電話機を折り畳んだ状態のまま衣服のポケットや鞄の中に入れているような場合、上側本体と下側本体を開いているときのような本来の受信性能が得られず、一時的に受信電界値ＳＲＥが待ち受け電界しきい値ＳＷＥ以下になることがある。このような場合、市街地等のように基地局が多数存在するような場所であっても圏外と判定され、その後の移動等によって受信状況が好転したとしても、特開平１１−３３１９１６号公報及び特開２００−６８９２０号公報の発明では、基地局検索の周期が長くなるように設定されてしまうため、圏内の検出に遅れが生じ、待ち受け状態になるまでに長い時間を要する場合が生じ、着信応答の機会を減らすことになる。
【０００７】
本発明の目的は、受信性能が一時的に悪化する様な環境下にあって、圏外状態から待ち受け状態になるまでの時間を短くできるようにした携帯無線電話装置を提供することにある。
【０００８】
【課題を解決するための手段】
本発明は、上記の目的を達成するため、基地局の圏内に存在するときには無線接続により通信が可能であると共に、圏外に存在するときには前記基地局からの制御チャネルが受信可能でありながら待ち受けゾーン選択レベルを満たさない弱電界が判定されたことをもって所定の時間周期で前記無線基地局の検索を行う基地局検索機能を備えた携帯無線電話装置において、前記圏外に存在することが検出されたときに本体部の使用形態を検出し、その検出結果に応じて圏外検出直後の基地局検索周期を変更する制御手段を備えることを特徴とする携帯無線電話装置を提供する。
【０００９】
この構成によれば、圏外にあり、かつ本体部の操作状態が検出されたとき、その検出結果に応じて制御手段は基地局検索周期を変更することにより、圏内に入り、基地局が検索されるまでの時間、すなわち、待ち受け状態になるまでの時間を短縮することが可能になる。
【００１０】
【発明の実施の形態】
以下、本発明の実施の形態を図面に基づいて説明する。
図１は本発明の携帯無線電話装置の電気系の構成を示し、図２は外観を示す。以下においては、携帯無線電話装置として、折り畳み型携帯電話機を例に説明する。この折り畳み型携帯電話機１０は、公衆回線（携帯電話会社等の無線電話網）に接続された基地局との間でＴＤＭＡ方式により送受信が可能である。
【００１１】
折り畳み型携帯電話機１０は、無線部１、ベースバンド部２、送受話部３、制御部４、操作キー５、ＬＣＤ表示部６、記憶部７、及びアンテナ８を備えて構成されている。無線部１は送信回路、受信回路、変・復調回路等を備えて構成されており、アンテナ８を介して基地局との間でデータの送受信を実行する。ベースバンド部２は制御部４によって制御され、送受話部３との間で音声データを入出力すると共に、符号化したデータを無線部１に入出力する。送受話部３は送話器としてのマイクロホン及び受話器としてのスピーカ（いずれも図示せず）を備え、マイクからの音声等をベースバンド部２へ出力すると共にベースバンド部２からの音声信号を音声にしてスピーカから出力するほか、受信電界値ＳＲＥを制御部４へ出力する。
【００１２】
制御部４は、折り畳み型携帯電話機１０の全体を制御する制御機能のほか、圏外判定手段４ａと開閉検出手段４ｂを備えている。圏外判定手段４ａは、無線部１からの受信電界値ＳＲＥと待ち受け電界しきい値ＳＷＥ（記憶部７に記憶されている）とを比較し、折り畳み型携帯電話機１０が圏内であるか圏外であるかを判定する。開閉検出手段４ｂは、折り畳み型携帯電話機１０が折り畳み状態にあるか、展開状態であるかを検出する。記憶部７は半導体メモリを用いて構成され、前記待ち受け電界しきい値ＳＷＥが記憶される。
【００１３】
図２に示す様に、折り畳み型携帯電話機１０はヒンジ部１３により結合された上部本体１１と下部本体１２からなり、矢印Ａのように開閉でき、折り畳んだ時には２つ折り状態になり、全開した時（展開時）には水平状態になり、その全長は約〔上部本体１１の長さ＋下部本体１２の長さ〕になる。上部本体１１には、スピーカ３ａ、ＬＣＤ表示部６、アンテナ８、着信通知用ＬＥＤ１４等が設けられている。下部本体１２には、操作キー５（数字キー、十字キー、機能キー等を含む）、マイクロホン３ｂ、充電用及び外部機器接続用の外部接続端子１５、イヤホン・マイクセット端子１６等が設けられている。
【００１４】
図１において、基地局から送信された信号を受信する無線部１は、その受信電界値を制御部４に通知する。制御部４は、圏外判定部４ａによって受信電界値ＳＲＥと記憶部７に記憶されている待ち受け電界しきい値ＳＷＥ（待ち受け可能な受信電界値）とを比較し、折り畳み型携帯電話機１０の所在が圏内か圏外かを判定する。ここで、圏外と判定された場合、制御部４は、開閉検出部４ｂによって折り畳み型携帯電話機１０が折り畳み状態であるか展開状態であるかを検出する。展開状態が判定されたとき、折り畳み型携帯電話機１０の受信性能を低下させる状態にはないので、基地局を検索周期Ｔ１（通常の圏外動作時の検索周期）によって検索する圏外動作に移行する。一方、折り畳み状態が判定されたとき、一定時間Ｔ３の間だけ、基地局検索周期をＴ１より短いＴ２にして圏外動作が行われる。
【００１５】
折り畳み型携帯電話機１０が展開状態にあれば、使用時の本体姿勢であるために設計通りの受信性能が得られるので、基地局検索周期をＴ１で行っても圏外→圏内の検索は最適に行われる。一方、折り畳み型携帯電話機１０が折り畳み状態にあれば、無線部１やアンテナ８が他の部品等に近接する状態になり、本来の受信性能（及び送信性能）が得られない状態にある。しかし、基地局が多数存在する環境であれば、たとえ折り畳み状態にあっても、短時間の内に十分な電界値が得られる状況にある。そこで、通常のＴ１から短いＴ２に検索周期を変えて基地局検索を行うことにより、電界値の急速な回復に対応できるようになる。
【００１６】
図３は図１の折り畳み型携帯電話機が適用される通信システムの概要を示す。基地局２０は公衆回線（図示せず）に接続されている。基地局２０は接続可能範囲（通信可能範囲）３１を有し、この接続可能範囲３１において折り畳み型携帯電話機１０は基地局２０との間で交信が可能である。接続可能範囲３１内における折り畳み型携帯電話機１０の受信電界値ＳＲＥは、待ち受け電界しきい値ＳＷＥよりも高くなっている。接続可能範囲３１の外側には接続不可範囲３２が形成される。この接続不可範囲３２内に存在する折り畳み型携帯電話機１０ａは、その受信電界値ＳＲＥが待ち受け電界しきい値ＳＷＥよりも低い。したがって、折り畳み型携帯電話機１０ａにおいては圏外の判定がなされ、基地局２０との交信はできない。更に、接続不可範囲３２の外側に位置する折り畳み型携帯電話機１０ｂにおいては、受信電界無しが判定される。
【００１７】
図４は折り畳み型携帯電話機１０の制御部４の処理を示す。また、図５は圏外時の基地局検索タイミングを示し、（ａ）は検索周期Ｔ１での基地局検索動作、（ｂ）は検索周期Ｔ２での基地局検索動作を示す。図４及び図５を参照して本発明の基地局検索方法について説明する。なお、図４の図中におけるＳはステップを表している。
【００１８】
折り畳み型携帯電話機１０が基地局２０に対して待ち受け状態にあるとき、制御部４の圏外判定手段４ａが圏外を検出すると（Ｓ４０１）、折り畳み型携帯電話機１０が折り畳み状態か展開状態かが開閉検出手段４ｂによって検出される（Ｓ４０２）。折り畳み型携帯電話機１０の展開状態が検出されたとき、図５の（ａ）に示すように、基地局検索周期をＴ１に設定し、基地局が検索されるまで継続される（Ｓ４０８）。一方、Ｓ４０２において折り畳み型携帯電話機１０の折り畳み状態が検出されたとき、制御部４に設けられているタイマーＴ３をスタートさせる（Ｓ４０３）。このとき、図５の（ｂ）に示すように、基地局検索周期はＴ１よりも短いＴ２（Ｓ４０４）に設定して基地局を検索する。この検索周期Ｔ２による検索は、タイマーＴ３のタイムアウトまで実施される（Ｓ４０５）。基地局検索後、検索結果である受信電界値ＳＲＥを無線部１から取得すると共に、圏外判定部によって受信電界値ＳＲＥと記憶部７に記憶されている待ち受け電界しきい値とを比較し（Ｓ４０６）、圏内か圏外かの判定を行う。Ｓ４０６で受信電界値ＳＲＥが待ち受け電界しきい値ＳＷＥより大きかったとき（ＳＲＥ≧ＳＷＥ）、基地局の圏内であると見なして、待ち受け動作に移行する（Ｓ４０９）。一方、待ち受け電界しきい値ＳＷＥが受信電界値ＳＲＥより大きい（ＳＷＥ＞ＳＲＥ）場合、圏外であると判定される。ついで、タイマＴ３がタイムアウトしているか否かが確認される（Ｓ４０７）。タイマＴ３がタイムアウトしていれば基地局検索周期をＴ１にして基地局検索を行い（Ｓ４０８）、また、タイマＴ３がタイムアウトしていないときには処理をＳ４０５に戻し、検索周期をＴ２にしたまま基地局の検索を実施する。
【００１９】
このように、本発明によれば、折り畳み型携帯電話機１０の上部本体１１と下部本体１２が展開状態にあり、かつ、待ち受け電界しきい値ＳＷＥが受信電界値ＳＲＥよりも大きい（ＳＷＥ＞ＳＲＥ）とき、具体的には、基地局が多数存在するにも関わらず、一時的に待ち受け電界しきい値以下の電界値となるような場合のとき、Ｔ１より短いＴ２の検索周期で基地局の検索が行われ、再び電界の高い状況に戻ったときに迅速に待ち受け状態に移行することが可能になる。したがって、圏外から圏内に入った際の基地局検索に要する時間を早めることができ、待ち受け状態になるまでの時間を短くすることができる。これにより、使用者は着信応答の機会を逃すことがなくなる。
【００２０】
上記説明では、携帯無線電話装置に折り畳み型携帯電話機１０を用いた例を示したが、本発明は折り畳み型に限定されるものではなく、スライド型の携帯電話機にも対応可能である。以下に図を示して説明する。
【００２１】
図６はスライド型携帯電話機の外観を示す。スライド型携帯電話機６０は、収納本体６１と、この収納本体６１にスライド可能に保持されたスライド部６２を備えて構成されている。収納本体６１は、表面にＬＣＤ表示部６、スピーカ３ａ、機能キー６３等を備え、内部又は底部にはスライド部６２を収納するポケット又は凹部が設けられている。スライド部６２は、表面に、数字キー６４、マイクロホン３ｂ等を備え、これらの電気回路はフレキシブル基板等を介して収納本体６１の電気回路に接続されている。スライド型携帯電話機６０の電気系の構成は図１に示した通りであり、また、処理内容は図４に示した通りである。
【００２２】
図６は、スライド部６２が収納本体６１から引き出された状態を示し、この状態が通話等の使用時の形態となる。鞄やポケット等に収納したりするために、スライド型携帯電話機６０のサイズを小さくしたいときには、収納本体６１に対してスライド部６２をＢ方向に押し込み、収納本体６１のポケット（又は凹部）に収納する。このとき、スライド型携帯電話機６０のサイズは、ほぼ収納本体６１の大きさとなる。スライド型携帯電話機６０では、図６の状態（スライド部６２が収納本体６１からＣ方向に引き出された状態）にあるとき、開閉検出手段４ｂが開状態（スライド部６２の引き出し状態）を検出する（Ｓ４０２：但し、「折り畳み状態か」は「スライド部６２は引き出し状態か」に読み替える）。この検出に基づいて、図４のＳ４０３以降の処理が実行される。
【００２３】
図６に示したスライド型携帯電話機６０によれば、圏外状態が検出されているときに、収納本体６１へのスライド部６２の収納が検出されると、基地局検索の周期がＴ１から周期の短いＴ２に変更される。折り畳み型携帯電話機１０と同様に、基地局が多数存在するにも関わらず一時的に待ち受け電界しきい値以下の電界値となるような場合、短時間に圏外から圏内に変わることが予想される。このようなとき、検索周期をＴ１より短いＴ２によって基地局検索を行うことにより、再び電界の高い状況に戻ったとき等には迅速に待ち受け状態に移行することが可能になり、使用者は着信応答の機会を逃すことがなくなる。
【００２４】
【発明の効果】
以上より明らかなように、本発明の携帯無線電話装置によれば、制御手段は、圏外にあり、かつ本体部の操作状態を検出したとき、その検出結果に応じて基地局検索周期を変更するので、基地局検索直後の検索周期を短く設定すれば、基地局が検索されて待ち受け状態になるまでの時間を短縮することが可能になり、使用者は着信応答の機会を逃す頻度を低減することができる。
【図面の簡単な説明】
【図１】本発明の携帯無線電話装置の電気系の構成を示すブロック図である。
【図２】本発明の携帯無線電話装置の外観を示す模式的斜視図である。
【図３】図１の携帯無線電話装置が適用される通信システムの概要を示す構成図である。
【図４】図１の携帯無線電話装置の制御部の処理を示すフローチャートである。
【図５】圏外時の基地局検索タイミングを示し、（ａ）は検索周期Ｔ１での基地局検索動作、（ｂ）は検索周期Ｔ２での基地局検索動作を示すタイミングチャートである。
【図６】携帯無線電話装置としての他の携帯電話機を示す斜視図である。
【符号の説明】
１　無線部
２　ベースバンド部
３　送受話部
３ａ　スピーカ
３ｂ　マイクロホン
４　制御部
４ａ　圏外判定手段
４ｂ　開閉検出手段
５　操作キー
６　ＬＣＤ表示部
７　記憶部
８　アンテナ
１０　折り畳み型携帯電話機
１１　上部本体
１２　下部本体
１３　ヒンジ部
１４　着信通知用ＬＥＤ
１５　外部接続端子
１６　イヤホン・マイクセット端子
２０　基地局
３１　接続可能範囲
３２　接続不可範囲
６０　スライド型携帯電話機
６１　収納本体
６２　スライド部
６３　機能キー
６４　数字キー
【図１】
2004015727.tif 000003
【図２】
2004015727.tif 000004
【図３】
2004015727.tif 000005
【図４】
2004015727.tif 000006
【図５】
2004015727.tif 000007
【図６】
2004015727.tif 000008